(57)【要約】【課題】金属製等の筒体と、ガラスと、を複合させた新規複合体の提供を目的とする。【解決手段】側部に孔部を有する筒体と、筒体の内側から溶融ガラスをブロー成形することで形成した内側ガラス体とからなり、筒体の孔部から内側ガラス体の一部が露出していることを特徴とする筒体とガラスとの複合体である。【選択図】  図１
0003126206.tif 000002
【実用新案登録請求の範囲】
【請求項１】
側部に孔部を有する筒体と、筒体の内側から溶融ガラスをブロー成形することで形成した内側ガラス体と、からなり、筒体の孔部から内側ガラス体の一部が露出していることを特徴とする筒体とガラスとの複合体。
【請求項２】
筒体の孔部から外側に内側ガラス体の一部が突出して露出していることを特徴とする請求項１記載の筒体とガラスとの複合体。
【請求項３】
請求項１又は２記載の筒体とガラスとの複合体からなる花瓶。
【請求項４】
請求項１又は２記載の筒体とガラスとの複合体からなる仏具。
【請求項５】
請求項１又は２記載の筒体とガラスとの複合体を用いたことを特徴とする照明器具。
【請求項６】
請求項１又は２記載の筒体とガラスとの複合体を用いたことを特徴とする装飾建材。
【考案の詳細な説明】
【技術分野】
【０００１】
本考案は、金属製等の筒体と、ガラスと、を複合させた複合体に関し、装飾品、花瓶、仏具、照明器具、装飾建材等への適用に適している。
【背景技術】
【０００２】
溶融ガラスを呼気等にてブロー成形するガラス造形品は公知であるが、全体が有色又は無色の透明体である。
一方、銅器等の鋳物からなる造形品も公知であるが全体が不透明である。
実開平５−９３６４号公報には内面に無機質層を被覆した鋳造花瓶を開示するが、防食を目的とし装飾効果はない。
【０００３】
【特許文献１】実開平５−９３６４号公報
【考案の開示】
【考案が解決しようとする課題】
【０００４】
本考案は上記技術的課題に鑑みて、金属製等の筒体と、ガラスと、を複合させた新規複合体の提供を目的とする。
【課題を解決するための手段】
【０００５】
請求項１記載に係る考案は、側部に孔部を有する筒体と、筒体の内側から溶融ガラスをブロー成形することで形成した内側ガラス体と、からなり、筒体の孔部から内側ガラス体の一部が露出していることを特徴とする。
筒体と複合する内側ガラス体は、筒体の内側からブロー成形する際に筒体と圧着した状態のまま常温硬化した溶融ガラスである。
筒体はある程度の耐熱性を有しており、溶融ガラスはある程度の粘性を有する。
ブロー成形は呼気、及び機械等による成形等ブロー成形手段に限定されない。
筒体は側部に孔部を有することにより、複合する内側ガラス体を孔部から露出する。
孔部の数、形状等は用途及び装飾目的に応じて適宜設定するのが望ましい。
筒体は金属製のプレス成形品及び鋳物等の不透明体がよく、材質としては銅、鉄、アルミ、銀等の各種材料を適用できる。
請求項２に係る考案は、筒体の孔部から外側に内側ガラス体の一部が突出して露出していることを特徴とする。
内側ガラス体は、筒体の孔部から外側に突出するまでブロー成形し、筒体と圧着した状態のまま常温硬化した溶融ガラスでもよい。
本考案に係る複合体は花瓶、仏具、照明器具、建材等に適用でき、用途に応じて、筒体は有底の器であってもよく、ガラス体の一部を切り欠いたり、底部を切り欠いて上下貫通させてもよい。
内側ガラス体は、無色透明なガラスのみならず各種色ガラスを用いることができ、ウランガラスを用いることもできる。
【考案の効果】
【０００６】
請求項１記載の考案における筒体とガラスとの複合体は、側部に孔部を有する筒体と、筒体の内側における溶融ガラスのブロー成形により筒体と圧着した状態のまま常温硬化した内側ガラス体と、の複合体であり、筒体の有する孔部から内側ガラス体を露出することができる装飾品である。
請求項２記載に係る筒体とガラスとの複合体は、溶融ガラスを筒体の有する孔部から外側に突出するまでブロー成形することにより、筒体の有する孔部から外側に内側ガラス体を突出して露出することができる装飾品である。
内側ガラス体が孔部から突出することにより生じる引掛作用等で筒体と、内側ガラス体と、の複合を強固にできる上に、筒体とガラスとの複合体の装飾美を向上させることができる。
孔部の数、形状等は用途及び装飾目的に応じて適宜設定するのが望ましく、孔部の数、形状及び配設等で模様を描くことにより、筒体とガラスとの複合体の装飾美を向上することができる。
筒体には伝統工芸の銅器、鉄器、銀器、錫器等鋳物材あるいは板材を用いた金工具を用いることにより、ガラス工芸と、伝統工芸と、の融合を図ることができる。
本考案における筒体とガラスとの複合体は様々な用途に対応しており、装飾品として飾るだけではなく、花を飾る花瓶、仏具、照明器具、装飾建材等への適用に適している。
【考案を実施するための最良の形態】
【０００７】
本考案に係る筒体とガラスとの複合体の実施例を以下図面に基づいて説明する。
図１には筒体とガラスとの複合体の完成斜視図を示し、図２には（ａ）〜（ｃ）に渡って筒体とガラスとの複合体の複合行程を示し、図３には図２（ｃ）における一点鎖線で囲んだ筒体の有する孔部の拡大図を示す。
図１に示す筒体とガラスとの複合体１００Ａ（以下、単に複合体と称する）の複合行程から説明する
図２（ａ）に示すように筒体１０Ａは、側部に孔部１１Ａを有しており耐熱性を有する。
筒体１０Ａの内側から溶融ガラス２０をブロー成形する。
本実施例で溶融ガラス２０のブロー成形は、人の呼気によるブロー成形の例を示し、ガラス種として粘性を有する溶融ガラス２０を吹き棹３０に巻き取る例を示す。
本実施例に示す吹き棹３０の吹口部は図示しない。
ブロー成形は、呼気、及び機械等による成形等ブロー成形手段に限定されない。
図２（ｂ）に示すように溶融ガラス２０は、筒体１０Ａの内側からブロー成形する際に筒体１０Ａに圧着する。
図２（ｃ）に示すように溶融ガラス２０は、ブロー成形を続けると筒体１０Ａの有する孔部１１Ａから外側に向かって突出する。
図２（ｂ）、（ｃ）は図２（ａ）におけるａ−ａ線断面図で示してある。
図２（ｂ）、（ｃ）では、ブロー成形における空気の吹き込みを矢印で示してある。
図３に図２（ｃ）における一点鎖線で囲んだ筒体の有する孔部の拡大図を示すように溶融ガラス２０は、筒体１０Ａの有する孔部１１Ａから外側に向かって突出する際に孔部１１Ａの周囲縁部１２にも圧着することにより、引掛作用等が生じるので溶融ガラス２０と、筒体１０Ａと、の圧着を強固にできる。
図１に複合体の完成斜視図を示すように筒体１０Ａと複合する内側ガラス体２０Ａは、複合体の複合行程後上部を切断し、徐冷炉等で時間を掛けて徐冷し、筒体１０Ａと圧着した状態のまま常温硬化した溶融ガラスである。
複合体１００Ａは、筒体１０Ａと、内側ガラス体２０Ａと、が複合した装飾品であり、筒体１０Ａの有する孔部１１Ａから外側に内側ガラス体２０Ａが突出して露出することにより、筒体１０Ａと、内側ガラス体２０Ａとが強固に一体化した美しい装飾品である。
【０００８】
図１に示す本実施例の筒体１０Ａは、略四角形の孔部１１Ａを上下方向１列に２つ配設してあり、筒体１０Ａの側部における正面側に３列と、背面側に１列と、を所定の間隔を設けて配列してある。
また筒体１０Ａは、複合体１００Ａの装飾として切り欠き孔１３と、装飾具１４と、を備える例を示す。
図１に示す複合体１００Ａは実施の１例であり、内側ガラス体及び筒体の材料は限定しない。
また、筒体の成型／製造方法は限定せず、筒体の大きさ及び筒体に備える孔部の数、形状等は用途及び装飾目的に応じて適宜設定するのが望ましい。
筒体に備える孔部の数、形状及び配設等で模様を描くことにより複合体の装飾美を用途及び装飾目的に応じて採用できる。
筒体には伝統工芸の金工品である、銅器、鉄器、銀器、錫器等を用いることにより、ガラス工芸と、伝統工芸と、のコラボレーションを図ることができる。
複合体は様々な用途に対応しており、装飾品として飾るだけではなく、花を飾る花瓶、仏具、照明器具、装飾建材等への適用に適している。
【０００９】
以下には複合体の他の実施例を示す。
図４に示す複合体１００Ｂは、筒体１０Ｂの側部に略菱形状の孔部１１Ｂを上下方向１列に６つ配設し、各列段違いに１５列、間隔を設けて配列することにより、複合体１００Ｂの装飾美を演出してある。
図５に示す複合体１００Ｃは、筒体１０Ｃに備える孔部１１Ｃで生物等を模写することにより、複合体１００Ｃの装飾美を演出してある。
本実施例の筒体１０Ｃは、様々な形状の孔部１１Ｃを配設することにより、筒体１０Ｃの側部における正面側と、背面側と、に生物として蜘蛛を各々１体づつ模写してあり、上下に線の装飾模様１５を備えてある。
【００１０】
内側ガラス体は、筒体の有する孔部から突出せずに一部が露出するだけでもよい。
また筒体は、孔部以外に切り欠き孔、装飾具、線及び凹凸等の装飾模様等を備えてもよい。
【図面の簡単な説明】
【００１１】
【図１】複合体の完成斜視図を示す。
【図２】（ａ）〜（ｃ）に渡って複合体の複合行程を示す。
【図３】図２（ｃ）における一点鎖線で囲んだ筒体の有する孔部の拡大図を示す。
【図４】複合体の完成斜視図を示す。
【図５】複合体の完成斜視図を示す。
【符号の説明】
【００１２】
１０Ａ、１０Ｂ、１０Ｃ    筒体
１１Ａ、１１Ｂ、１１Ｃ    孔部
１２      周囲縁部
１３      切り欠き孔
１４      装飾具
１５      装飾模様
２０      溶融ガラス
２０Ａ    内側ガラス体
３０      吹き棹
１００Ａ、１００Ｂ、１００Ｃ    筒体とガラスとの複合体
【図１】
0003126206.tif 000003
【図２】
0003126206.tif 000004
【図３】
0003126206.tif 000005
【図４】
0003126206.tif 000006
【図５】
0003126206.tif 000007